(57)【特許請求の範囲】
【請求項１】
扁平状態の内張り材（１）の先端部において、当該内張り材（１）の端末部の扁平部（３）の長さ方向に若干離れた位置に、扁平の両面を貫通して一対の透孔（４）を穿設し、前記扁平の両面を貫通した透孔（４）にそれぞれ牽引索（５）を挿通し、当該対をなす牽引索（５）を扁平の片面側でそれぞれループ（７）状に連続せしめて全体としてリング状を形成し、前記内張り材（１）の両側に突出したループ（７）をリング（８）などの係止部材に係止し、当該係止部材（８）を索条（９）で牽引せしめたことを特徴とする、内張り材と牽引索との取り付け構造
【請求項２】
前記透孔が内張り材（１）の長さ方向に対して直交するスリット（４）であって、前記牽引索（５）が当該スリット（４）に挿通されるベルト状であることを特徴とする、請求項１に記載の内張り材と牽引索との取り付け構造
【請求項３】
前記内張り材（１）の先端が、先細りとなるように湾曲せしめられていることを特徴とする、請求項１に記載の内張り材と牽引索との取り付け構造
【発明の詳細な説明】
【技術分野】
【０００１】
本発明は既設管に硬質熱可塑性プラスチックを主体とする内張り材を引き込んで内張りする方法において、当該内張り材を前記既設管に引き込むに当たり、当該内張り材の先端に牽引索を取り付けるための構造に関するものである。
【背景技術】
【０００２】
内張り材が柔軟な素材よりなる場合には、当該内張り材の先端に牽引索を単純に結びつけ、当該牽引索を既設管内を通して牽引することにより、内張り材が自由に変形しながら挿通されるため、牽引索にさほど大きなテンションを掛けることなく、内張り材を既設管に容易に挿通することができる。
【０００３】
しかしながら前述のように硬質熱可塑性プラスチックを主体とする内張り材を使用する場合には、当該内張り材が剛直であるために変形しにくく、既設管の内面に当接して大きな摩擦抵抗を生じ、その摩擦抵抗を排除して内張り材を既設管に挿通するためには、大きなテンションを掛けることが必要である。
【０００４】
一般にかかる内張り材を既設管に引き込む場合には、特開２００８−１０５７号公報に示されているように、内張り材の先端部に透孔を穿設し、当該透孔に牽引索を挿通し、内張り材を牽引索で結束する方法が採られ、当該牽引索にテンションを掛けて既設管に引き込むことが行われる。
【０００５】
しかしながらこの方法では、牽引索にかかるテンションが内張り材に穿設した透孔に局部的に集中するため、前述のように大きなテンションを掛けなければ挿通できないような状況の下では、透孔の位置で内張り材が牽引索のテンションによって、引き千切られる可能性があった。
【０００６】
前記牽引索をベルト状の索とすることにより、内張り材にテンションがかかる範囲を大きくし、局部的に大きなテンションがかかるのを防止することも行われるが、それでも内張り材が引き千切られるのを防止するには十分ではなかった。
【先行技術文献】
【特許文献】
【０００７】
【特許文献１】特開２００８−１０５７号公報
【発明の概要】
【発明が解決しようとする課題】
【０００８】
本発明はかかる事情に鑑みなされたものであって、内張り材を既設管に引き込むに当たり、前記内張り材が牽引索によって引き千切られるようなことがなく、スムーズに既設管に引き込むことができる、牽引索を内張り材の先端に取り付ける取り付け構造を提供することを目的とするものである。
【課題を解決するための手段】
【０００９】
而して本発明は、扁平状態の内張り材の先端部において、当該内張り材の端末部の扁平部の長さ方向に若干離れた位置に、扁平の両面を貫通して一対の透孔を穿設し、前記扁平の両面を貫通した透孔にそれぞれ牽引索を挿通し、当該対をなす牽引索を扁平の片面側でそれぞれループ状に連続せしめて全体としてリング状を形成し、前記内張り材の両側に突出したループをリングなどの係止部材に係止し、当該係止部材を索条で牽引せしめたことを特徴とするものである。
【００１０】
本発明においては、前記透孔が内張り材の長さ方向に対して直交するスリットであって、前記牽引索が当該スリットに挿通されるベルト状であることが好ましい。また本発明においては、前記内張り材の先端が、先細りとなるように湾曲せしめられていることが好ましい。
【発明の効果】
【００１１】
本発明においては内張り材の扁平の両面を貫通する一対の透孔が穿設され、当該透孔に牽引索を挿通して、当該対をなす牽引索を扁平の片面側でそれぞれループ状に連続せしめて全体としてリング状を形成し、当該内張り材の両面に突出したループをリングに挿通している。
【００１２】
それ故牽引索は四か所において内張り材を貫通しており、その貫通箇所におけるテンションがずれたときにも、ループとリングとが自由に滑り得るため、特定の箇所に大きなテンションが集中することがなく、四か所すべての透孔においてテンションが均等に分配され、内張り材が引き千切られるようなことがない。
【図面の簡単な説明】
【００１３】
【図１】本発明における内張り材の先端部の斜視図
【図２】本発明の内張り材と牽引索との取り付け構造を示す中央縦断面図
【発明を実施するための形態】
【００１４】
以下本発明を図面に基づいて説明する。図面において１は内張り材であって、硬質熱可塑性プラスチックを主体とする筒状の内張り材であり、径方向に押し潰されて扁平状態に折り畳まれている。そしてその内張り材１の先端は両横部２を削って先細りとなるように湾曲せしめられている。
【００１５】
而して当該内張り材１の端末部の扁平部３には、長さ方向に若干離れた位置に、扁平の両面を貫通して、内張り材の長さ方向に対して直交する一対のスリット４が穿設されている。
【００１６】
前記扁平の両面を貫通したスリット４にそれぞれベルト状の牽引索５を挿通し、当該対をなす牽引索５を扁平の片面側でそれぞれループ７状に連続せしめて、全体としてリング状を形成している。そして前記牽引索５における６は、牽引索５の両端を接続してリング状に形成した結び目である。
【００１７】
そして前記内張り材１の扁平部３の両側に突出した牽引索５のループ７を、内張り材１の先方においてリング８に挿通し、当該リング８を管路（図示せず）内を通して索条９で牽引せしめている。なお、リング８とループ７との接続部にスイベルなどの撚り戻しを設けることも好ましいことである。
【００１８】
なお以上の説明においては前記内張り材１の端末部にスリット４を形成し、当該スリット４に挿通する牽引索５がベルト状であることを前提として述べているが、これは必ずしも本発明において必須ではなく、内張り材１の厚みが小さく比較的柔軟であるような場合には、例えばスリット４が単なる透孔であって、牽引索５もワイヤなどの丸い索条であっても差し支えない。
【００１９】
本発明によれば、リング状の牽引索５がスリット４を挿通しており、その両面側に突出したループ７がリング８に挿通しているので、スリット４及びリング８において牽引索５は自由に移動することができる。
【００２０】
従って管路を通して索条９を牽引したとき、牽引索５が内張り材１を貫通する四か所のスリット４において、牽引索５に掛かるテンションが調整され、均一のテンションにより牽引されることになり、局部的に大きなテンションが作用して牽引索５が内張り材１を引き千切るようなことがない。
【符号の説明】
【００２１】
１  内張り材
３  扁平部
４  スリット（透孔）
５  牽引索
７  ループ
８  リング
９  索条
【図１】
0006404055.tif 000002
【図２】
0006404055.tif 000003